(57)【要約】【課題】輝度の向上と同時に色再現性を確保することを実現し、高画質で高品質のＰＤＰ表示装置を提供する。【解決手段】背面ガラス基板１０上に複数本のデータ電極１１、データ電極１１上に誘電体層１２、誘電体層１２上にデータ電極１１に並行する絶縁性の隔壁１３、隔壁１３側面と隔壁１３間にある誘電体層１２上に３色の異なる蛍光体層１４Ｒ、１４Ｇ、１４Ｂが順次形成配置される背面板１５を有するプラズマディスプレイパネルにおいて、少なくとも１色の蛍光体層が塗布される隔壁１３側面と隔壁１３間にある誘電体層１２上に白色反射層１９を設ける構成とした。【選択図】図１
2006031949.tif 000002
【特許請求の範囲】
【請求項１】
背面板が、ｎ色（ｎは３以上の整数）の蛍光体層と、前記ｎ色の蛍光体層の中から選ばれる最大（ｎ−１）色の蛍光体層の背面板側に、蛍光体層からの発光を表示面側に反射する反射層とを備え、前記ｎ色の蛍光体層の幅と前記反射層とで表示画像のホワイトバランスを制御していることを特徴とするプラズマディスプレイパネル。
【請求項２】
前記ｎ色の蛍光体層の幅が略等しく、かつ前記最大（ｎ−１）色の蛍光体層のうち少なくとも１色が青色蛍光体層であることを特徴とする請求項１に記載のプラズマディスプレイパネル。
【請求項３】
前記ｎ色の蛍光体層が、赤色、緑色、青色の３色の蛍光体層であることを特徴とする請求項２に記載のプラズマディスプレイパネル。
【請求項４】
前記反射層が、白色顔料を含有した白色材料である請求項１に記載のプラズマディスプレイパネル。
【請求項５】
背面板に対して隔壁を挟んで前面板を対向配置し、前記前面板は、走査電極と維持電極とで対をなしｎ色の蛍光体層と交差する表示電極と、前記表示電極間に設けられた遮光層とを有し、また前記走査電極および前記維持電極はそれぞれ、透明電極と前記透明電極と電気的に接続され前記透明電極より幅の狭いバス電極とを有し、反射層は、前記表示電極の各バス電極の間の領域を越えて隣り合う前記遮光層の間の領域内と重なる領域に形成されていることを特徴とするプラズマディスプレイパネル。
【発明の詳細な説明】
【技術分野】
【０００１】
本発明は、大画面、薄型、軽量のディスプレイ装置として知られているガス放電によって発生した紫外線によって蛍光体を励起発光させ、画像表示するプラズマディスプレイパネル（以下、略してＰＤＰと称することがある）に関し、特にＡＣ（交流）型ＰＤＰのパネル構造に関するものである。
【背景技術】
【０００２】
近年、大型の平板型表示装置（フラットパネルディスプレイとも称する）として希ガス放電による紫外線で蛍光体を励起発光させて画像・映像表示に利用するＰＤＰの開発が加速しており、コンピューター等に代表される情報処理装置の表示機器として、あるいは大型のテレビジョン受信機や公衆表示用モニターとしての社会的要望が増大している。
【０００３】
ＰＤＰには交流駆動方式と直流駆動方式があるが、ここでは一般的な交流駆動方式のＰＤＰ（以下、交流駆動方式のＰＤＰをＡＣ−ＰＤＰと記す）の構造を図５に示した。ＡＣ−ＰＤＰにも各種の方式があるが、図５（ａ）は面放電型と呼ばれる方式の構造を一例として、その一部を立体的に描いた斜視図で示している。ＡＣ−ＰＤＰは、ガラス製の前面板８、背面板１５にそれぞれ行電極、列電極が直交配置され、画素（ピクセル）となる行・列両電極の交点および両基板間にある隔壁により放電空間９を形成する構造となっている。
【０００４】
図５（ａ）に示すように、透明な前面ガラス基板１上には、放電ギャップをあけて平行に対向するＸ電極とも呼ばれる走査電極２とＹ電極とも呼ばれる維持電極３とで対をなすストライプ状の表示電極となる行電極４が複数対形成されている。この走査電極２および維持電極３は、それぞれＩＴＯ（Ｉｎｄｉｕｍ−Ｔｉｎ  Ｏｘｉｄｅ）やＳｎＯ２などからなる透明電極２ａ、３ａと、この透明電極２ａ、３ａに電気的に接続された銀の厚膜やアルミニウム（Ａｌ）薄膜やクロム（Ｃｒ）−銅（Ｃｕ）−クロム（Ｃｒ）の積層薄膜によるバス電極２ｂ、３ｂとから構成されている。また、隣り合う維持電極３と走査電極２の対間に、表示面のコントラストを高めるため、遮光層となるブラックマトリクス７を必要に応じて形成することもある。そして、前面ガラス基板１には、複数対の電極群を覆うように低融点ガラスからなる誘電体層５が形成され、その誘電体層５上にはＭｇＯからなる保護膜６が形成され、これにより前面板８が構成されている。
【０００５】
また、前面ガラス基板１に対向配置される背面ガラス基板１０上には、走査電極２および維持電極３からなる行電極４と直交する方向に、誘電体層１２で覆われた複数のストライプ状のいわゆる列電極にあたるアドレス電極（データ電極とも称する）１１が形成されている。このアドレス電極１１の上の誘電体層１２上には、アドレス電極１１と平行にストライプ状の複数の隔壁１３が配置され、この隔壁１３間の側面および誘電体層１２の表面に蛍光体層１４が設けられ、これにより背面板１５が構成されている。
【０００６】
これらの前面板８と背面板１５とは、走査電極２および維持電極３からなる行電極４と列電極にあたるアドレス電極１１とが直交するように、微小な放電空間９を挟んで対向配置されるとともに、周囲が封止され、そして放電空間９には、放電ガスとして、ネオン（Ｎｅ）とキセノン（Ｘｅ）の混合ガスが所定の圧力で充填されている。また、放電空間９は、隔壁１３によって複数の区画に仕切ることにより、表示電極となる行電極４とアドレス電極１１との交点が位置する複数の放電セルが設けられ、その各放電セルには、赤色、緑色および青色となるように蛍光体層１４Ｂ、１４Ｇ、１４Ｒが１色ずつ順次配置されている。
【０００７】
各構成部材の製造方法としては、電極形成およびブラックマトリクス形成については、感光性材料を用いたフォトリソ法や薄膜形成法等により形成され、蛍光体層、誘電体層については各種有機材料と混合されたペーストをスクリーン印刷や各種コーターを用いて塗布する方法等により形成される。電極や誘電体層の形成については、使用材料を保護フィルム上に転写シートとしてシート状に加工して貼りつける工法等も利用される。形成後は所定の温度にて焼成を行い、各種構成部材を基板に固着させて完成する。
【０００８】
このＡＣ−ＰＤＰにおいては、電極間に数十ｋＨｚ〜数百ｋＨｚのＡＣ電圧を印加して放電空間に放電を発生させ、励起されたＸｅ原子からの紫外線によって蛍光体層を励起することにより可視光を発生させて表示動作を行う。
【０００９】
図５（ｂ）に示すように表示パネル２０から引き出された各電極端に駆動回路を接続してＡＣ−ＰＤＰ表示装置を完成させる。走査電極２（ＳＣ１、ＳＣ２、・・、ＳＣｎ）群端子には走査電極駆動回路１６が、維持電極３（ＳＵ１、ＳＵ２、・・、ＳＵｎ）群端子には維持電極駆動回路１７が接続される。アドレス電極１１（Ａ１、Ａ２、・・、Ａｎ）群端子にはデータドライバ１８が接続されて、表示データに応じて書き込みパルスをアドレス電極１１（Ａ１、Ａ２、・・、Ａｎ）群に印加し、行電極と列電極が交差する部分に形成されるセルで放電発光を生じさせて所望の画像表示を行う。
【００１０】
上記の従来のＰＤＰを含め多くのカラー表示装置は、特にＴＶ等での動画映像表示を目的とする場合、明るく、色再現性のよいことが求められる。ＡＣ−ＰＤＰの場合、明るくすること、すなわち表示輝度を向上させるために、図５（ａ）に例を示したように背面板１５の誘電体層１２および隔壁１３の各側面と、蛍光体層１４との間に誘電体に酸化チタン（ＴｉＯ２）等の白色顔料を含有させた材料で白色反射層１９を形成し、蛍光体層１４Ｇ、１４Ｂ、１４Ｒからの励起発光を白色反射層１９で反射させ、表示輝度を向上させることが提案されている（例えば、特許文献１、特許文献２、特許文献３参照）。
【００１１】
一方、表示の色再現性については、赤、緑、青の各色の蛍光体を同時に発光させて白色を表示したときのホワイトバランス、白色色温度により評価される。また、ＰＤＰ用の蛍光体としては、赤、緑、青の各色について種々の蛍光体が検討されているが、いずれの材料においても、緑色が最も輝度が高く、青色が低い傾向は変わらない。例えば、赤色としてＹＢＯ３：Ｅｕ、緑色としてＺｎＳｉＯ４：Ｍｎ、青色としてＢａＭｇＡｌ１０Ｏ１７：Ｅｕの各蛍光体を用いた場合、各色の輝度比は、赤：緑：青＝約２：３：１であり、３色を同時に発光させたとき表示される白色は、色温度が５０００度程度と低く、ホワイトバランスが悪い。このため、輝度の高い緑色蛍光体の発光を駆動回路上で制御して抑え、ホワイトバランスを改良して色温度を高める方法を採用することが多い。しかしながら、駆動回路により発光を制御したパネルでは、緑色の輝度を抑えた分だけ、ＰＤＰの輝度が低下し、暗くなることが避けられなかった。このことに対し、背面板１５の隔壁１３の間隔を変化させることによって、各色の蛍光体層を同時に同じ条件で発光させたときの色温度を９０００度以上になるように調整して、輝度を大きく落とすことなくホワイトバランスを改良、具体的には隔壁間隔を緑、赤、青の順で広くするように変更したＰＤＰが提案されている（例えば、特許文献４参照）。なお、隔壁間隔を緑、赤、青の蛍光体毎に変更したＰＤＰをバリアブル画素ピッチＰＤＰと呼ぶことがある。図６は一例として示したバリアブル画素ピッチＰＤＰの部分拡大断面図である。
【特許文献１】特許第２７７３３９３号公報（第２頁〜第３頁、第１図）
【特許文献２】特開平９−２３１９１０号公報（第３頁〜第５頁、第１図）
【特許文献３】特開２０００−１１８８５号公報（第２頁〜第４頁、第１図）
【特許文献４】特開平１１−５４０４７号公報（第２頁〜第４頁、第１図）
【発明の開示】
【発明が解決しようとする課題】
【００１２】
しかしながら上述したような、背面板１５の誘電体層１２および隔壁１３の各側面と、蛍光体層１４との間に誘電体に酸化チタン（ＴｉＯ２）等の白色顔料を含有させた材料で白色反射層１９を形成し、蛍光体層１４Ｇ、１４Ｂ、１４Ｒからの励起発光を白色反射層１９で反射させ、表示輝度を向上させた従来のＡＣ−ＰＤＰにおいては、通電点灯して５分から１０数分後に点灯表示していた画像が残像のように認められる焼き付き現象が生じ、全体的に表示輝度が低下する問題が発生した。この焼き付き現象は長期間同一表示パターンを点灯したパネルで、非点灯で表示面を眺めた場合や全面で白色点灯した場合に、表示していたパターンが認められる（長期）焼き付き現象と区別するため短期焼き付き現象と呼ばれる。そして、短期焼き付き現象の発生したＡＣ−ＰＤＰの放電特性を測定すると、放電開始電圧Ｖｉ、放電維持電圧Ｖｓ等が上昇するといった特性の劣化が認められた。このような短期焼き付き現象を引き起こすＰＤＰの放電特性の著しい低下の原因を調査するため、背面板１５の一部を試料として切り出し、ＴＤＳ分析法（Ｔｈｅｒｍａｌ  Ｄｅｓｏｒｐｔｉｏｎ  Ｓｐｅｃｔｒｏｓｃｏｐｙ：昇温脱離ガス質量分析法）により解析したところ、白色反射層１９を形成したＰＤＰの試料からは白色反射層１９を形成していないＰＤＰの試料に比べＨ２Ｏ（水分子）が１０倍以上多く放出されることが確認された。それ故、短期焼き付き現象の原因は、表示輝度を向上させるために背面板１５の誘電体層１２および隔壁１３の各側面と、蛍光体層１４との間に誘電体に酸化チタン（ＴｉＯ２）等の白色顔料を含有させた材料で形成した白色反射層１９に含まれるＨ２Ｏが影響していることが推測された。そのため、ＰＤＰの表示輝度を向上させるのに、白色反射層を設けたパネルにおいても、短期焼き付き現象のような放電特性の低下を発生させないＡＣ−ＰＤＰを実現することは課題になっていた。さらに、このようなＰＤＰにおいても、輝度の向上と同時に背景技術において述べた色再現性を確保することもまた課題になっていた。
【００１３】
本発明は上記の課題を解決し、ＡＣ−ＰＤＰの輝度の向上と同時に色再現性を確保することを実現し、高画質で焼き付き現象等の不具合の発生が少ない高品質の交流型ＰＤＰ表示装置を提供することを目的とする。
【課題を解決するための手段】
【００１４】
上記課題を解決するため、本発明のプラズマディスプレイパネルは、背面板が、ｎ色（ｎは３以上の整数）の蛍光体層と、ｎ色の蛍光体層の中から選ばれる最大（ｎ−１）色の蛍光体層の背面板側に、蛍光体層からの発光を表示面側に反射する反射層とを備え、ｎ色の蛍光体層の幅と反射層とで表示画像のホワイトバランスを制御している構成を有している。また、本発明のプラズマディスプレイパネルは、ｎ色の蛍光体層の幅が略等しく、かつ最大（ｎ−１）色の蛍光体層のうち少なくとも１色が青色蛍光体層である構成を有することができる。また、ｎ色の蛍光体層が、赤色、緑色、青色の３色の蛍光体層である構成を有することもできる。
【００１５】
これらの構成により、表示パネルの少なくとも１色の蛍光体層が塗布される背面板に反射層を設けているので表示輝度の向上を図ることができ、また、蛍光体層が塗布される幅を各色で異なる幅にするか、ｎ色のうちで、少なくとも（ｎ−１）色で蛍光体層が塗布される幅を等しくするか、蛍光体層が塗布される幅を等しい間隔で形成し、また、青色を塗布する蛍光体層にのみ反射層を設けているのでホワイトバランスの優れたプラズマディスプレイパネルを実現できる。さらに、反射層をｎ色全ての蛍光体層に設けていないので、反射層を形成する材料に含まれるＨ２Ｏ（水分子）の放出が減少し、短期焼き付き現象が抑えられ、表示品質に優れたプラズマディスプレイパネルも実現できる。
【００１６】
また、本発明のプラズマディスプレイパネルは、上記構成に加えて、背面板に対して隔壁を挟んで前面板を対向配置し、この前面板は、走査電極と維持電極とで対をなしｎ色の蛍光体層と交差する表示電極と、表示電極間に設けられた遮光層とを有し、また走査電極および維持電極はそれぞれ、透明電極とこの透明電極と電気的に接続され透明電極より幅の狭いバス電極とを有し、反射層は、表示電極の各バス電極の間の領域を越えて隣り合う遮光層の間の領域内と重なる領域に形成されている構成を有してもよい。
【００１７】
この構成によりプラズマディスプレイパネルの背面板上の輝度向上させるための反射層を選択的に形成しているので、短期焼き付き現象の原因となる反射層を形成する酸化チタン（ＴｉＯ２）等の白色顔料を含有させた誘電体材料に存在するＨ２Ｏ（水分子）の放出を抑制できるので、表示品質に優れたプラズマディスプレイパネルを実現できる。また、反射層の形成に対応して、ホワイトバランスを最適に設定できるので、高画質で色再現性に優れた高品質のプラズマディスプレイパネルを提供することができるものである。
【発明の効果】
【００１８】
本発明のプラズマディスプレイパネルは、輝度向上させるための反射層を選択的に形成しているので、反射層形成材料からの放出ガス量を減少させて短期焼き付き現象を抑制し、反射層の形成に対応して、ホワイトバランスを最適に設定できるので、高画質で高品質のプラズマディスプレイパネルを実現できるという利点がある。
【発明を実施するための最良の形態】
【００１９】
以下、本発明の実施の形態におけるプラズマディスプレイパネルについて、図面を参照して説明する。
【００２０】
（実施の形態１）
図１は本発明の実施の形態１におけるＡＣ−ＰＤＰの一部を拡大して示す断面斜視図である。図２は、本発明の実施の形態１におけるＡＣ−ＰＤＰの部分拡大断面図である。既に、背景技術として図５（ａ）を用いて従来のＡＣ−ＰＤＰの構造を説明したが、本発明の実施の形態１におけるＡＣ−ＰＤＰは、ガラス製の前面板、背面板にそれぞれ行電極、列電極が直交配置され、画素（ピクセル）となる行・列両電極の交点および両基板間にある隔壁により放電空間を形成する構造において基本的に同じであるので、図１、図２において同じ構成要素には同一符号を付している。
【００２１】
図１において、前面板８には、透明な前面ガラス基板１上に放電ギャップをあけて平行に対向する走査電極（Ｘ電極とも言う）２と維持電極（Ｙ電極とも言う）３とで対をなしてストライプ状にいわゆる行電極にあたる表示電極４が複数対形成されている。この走査電極２および維持電極３は、それぞれＩＴＯ（Ｉｎｄｉｕｍ−Ｔｉｎ  Ｏｘｉｄｅ）やＳｎＯ２などからなる透明電極２ａ、３ａと、この透明電極２ａ、３ａに電気的に接続された、例えば、銀等の厚膜や、また、例えばアルミニウム（Ａｌ）薄膜あるいはクロム（Ｃｒ）−銅（Ｃｕ）−クロム（Ｃｒ）の積層薄膜によるバス電極２ｂ、３ｂとから構成されている。また、隣り合う維持電極３と走査電極２の対間に、表示面のコントラストを高めるため、遮光層となるブラックマトリクス７を必要に応じて形成することもある。そして、前面ガラス基板１には、複数対の表示電極４群を覆うように低融点ガラスからなる誘電体層５が形成され、その誘電体層５上にはＭｇＯからなる保護膜６が形成され、これらの各要素により前面板８が構成されている。
【００２２】
また、前面ガラス基板１に対向配置される背面ガラス基板１０上には、前面ガラス基板１上の表示電極４と直交する方向に、誘電体層１２で覆われて複数のいわゆる列電極にあたるアドレス電極（データ電極とも言う）１１がストライプ状に形成されている。このアドレス電極１１上の誘電体層１２の上には、アドレス電極１１と並行してストライプ状の複数の隔壁１３が配置され、本発明の実施の形態１におけるプラズマディスプレイパネルを構成する背面板１５には、従来のプラズマディスプレイパネルでも説明したように、隔壁１３間の側面および誘電体層１２の表面上に表示輝度向上のための白色反射層１９を形成する工程を終えてから、Ｒ、Ｇ、Ｂの３色を発光する蛍光体を塗布して蛍光体層１４Ｒ、１４Ｇ、１４Ｂが形成される。
【００２３】
また、Ｒ、Ｇ、Ｂの３色の蛍光体を全て発光させて白色表示にしたときの白色の色再現性、すなわち、ホワイトバランスを向上させるために、本発明の実施の形態１におけるプラズマディスプレイパネルにおいては、基本的に、従来のプラズマディスプレイパネルと同様に背面板１５の隔壁１３の間隔を変化させ、異なる間隔としている。一般的に蛍光体は緑、赤、青の順に輝度値が大きくなるので、図２に示すように、隔壁間隔ＷＲ、ＷＧ、ＷＢを緑、赤、青の順、すなわちＷＧ＜ＷＲ＜ＷＢのように広くすればよい。例えば、一つの方法として、緑、赤、青の隔壁間隔ＷＲ、ＷＧ、ＷＢを輝度値に逆比例するように設定、変更してホワイトバランスをとることもできる。また、前面板にフィルタを入れてホワイトバランスを制御するＰＤＰの場合には、図２に示した構成と異なるが、フィルタの光透過特性を考慮し、ＷＲ＜ＷＧ＜ＷＢの順に広くしてもよい。また、上記の本発明の実施の形態１におけるプラズマディスプレイパネルの構成では、各色に対応する隔壁間隔ＷＲ、ＷＧ、ＷＢが全て異なる場合の例で説明したが、３色のうちの２色が等しい間隔となる構成であってもよい。しかしながら、後述するように、本発明の実施の形態１におけるプラズマディスプレイパネルは、白色反射層１９の配置が従来のプラズマディスプレイパネルとは異なっているので、具体的な緑、赤、青の隔壁間隔ＷＧ、ＷＲ、ＷＢは、輝度および色再現性（ホワイトバランス）を考慮して好ましい隔壁間隔にする必要があり、シミュレーション等を利用して設計、設定する。
【００２４】
上記構成の前面板８と背面板１５とは、走査電極２および維持電極３からなる行電極にあたる表示電極４と列電極にあたるアドレス電極１１とが直交するように、微小な放電空間９を挟んで対向配置されるとともに、周囲が封止され、例えば真空度１×１０−４Ｐａ程度の圧力で高真空排気した後、放電空間９には、放電ガスとして、ネオン（Ｎｅ）とキセノン（Ｘｅ）の混合ガスが所定の圧力で充填されている。例えば、放電ガスとして、９５体積％ネオン（Ｎｅ）−５体積％キセノン（Ｘｅ）の混合ガスを圧力６６．５ｋＰａ（５００Ｔｏｒｒ）で封入している。また、放電空間９は、隔壁１３によって複数の区画に仕切ることにより、表示電極４とアドレス電極１１との交点が位置する複数の放電セルが設けられ、各放電セルには、前述したように青色、緑色および赤色の各蛍光体層１４Ｂ、１４Ｇ、１４Ｒが１色ずつ順次配置されている。
【００２５】
しかしながら、図１、図２に示した本発明の実施の形態１におけるＡＣ−ＰＤＰの構成は、図５（ａ）に示した従来のＡＣ−ＰＤＰの構成と異なるところがある。すなわち、輝度を向上させるために設けた白色反射層１９の配置において異なっている。図５（ａ）に示した従来のＡＣ−ＰＤＰにおいては輝度を向上させるために設けた白色反射層１９を隔壁１３の全ての側面と隔壁１３間の全ての誘電体層１２上に設けていたが、図１、図２に示す本発明の実施の形態１におけるＡＣ−ＰＤＰでは、３色の蛍光体のうちの緑色の蛍光体層１４Ｇが蛍光体を塗布される隔壁１３の側面とその隔壁１３間の誘電体層１２に選択的に白色反射層１９を形成する例を示しており、隔壁１３の全ての側面と隔壁１３間の誘電体層１２の全てに白色反射層１９を形成していない。このように、本発明の実施の形態１におけるＡＣ−ＰＤＰの背面板１５の隔壁１３の側面と隔壁１３間の誘電体層１２の全てに白色反射層１９を形成しないのは、既に従来のＡＣ−ＰＤＰの課題として述べたように、白色反射層１９を形成する酸化チタン（ＴｉＯ２）等の白色顔料を含有させた誘電体材料に存在するＨ２Ｏ（水分子）に起因する短期焼き付き現象を抑制するために、蛍光体層１４Ｇを形成するために緑色の蛍光体が塗布される隔壁１３の側面とその隔壁１３間の誘電体層１２にのみ選択的に白色反射層１９を形成している。プラズマディスプレイパネル全体における白色反射層の面積を減少させることにより、短期焼き付き現象の原因となるＨ２Ｏ（水分子）の放電空間９内への放出を抑えることを図っている。
【００２６】
また、本発明の実施の形態１におけるプラズマディスプレイパネルでは、白色反射層の面積をさらに減少させて、短期焼き付き現象の原因となるＨ２Ｏ（水分子）の放電空間内への放出を抑えることを図っている。以下、図３を参照して、白色反射層の面積をさらに減少させたプラズマディスプレイパネルの構成について説明する。図３は本発明の実施の形態１における別の構成のプラズマディスプレイパネルの前面板の上側から見た放電セル部分の拡大平面図である。
【００２７】
図３において、透明な前面ガラス基板１上には、走査電極２と維持電極３とで対をなす表示電極４がストライプ状に複数対形成され、この走査電極２および維持電極３は、それぞれ透明電極２ａ、３ａおよびこの透明電極２ａ、３ａにそれぞれ電気的に接続された銀等の金属薄膜からなるバス電極２ｂ、３ｂとから構成され、バス電極２ｂ、３ｂはそれぞれの透明電極２ａ、３ａにおける面放電ギャップＭＧから遠い側の端縁部に配置されている。また、背面ガラス基板１０上には誘電体層１２で覆われた複数のデータ電極１１が形成され、隣り合うデータ電極１１の間の誘電体層１２上にデータ電極１１と平行して隔壁１３が設けられている。また、データ電極１１上の誘電体層１２の表面と隔壁１３の側面に赤、緑、青の３色の蛍光体層１４Ｒ、１４Ｇ、１４Ｂが設けられ、これらにより背面板１５を構成している。なお、図３には示していないが、前面ガラス基板１には、複数対の表示電極４群を覆うように誘電体層５が形成され、その誘電体層５上にはさらに保護膜６が形成され、前面板８を構成しているところは図１、図２に示したプラズマディスプレイパネルの構成と同様である。
【００２８】
また、ＡＣ−ＰＤＰの表示パネル２０の明るい場所での表示動作において、蛍光体層１４Ｒ、１４Ｇ、１４Ｂ等による外光の反射が発生し、外光の反射輝度は、画質の良否を左右する非常に大きな要因の一つである。反射輝度が大きい場合には、表示画像のコントラストが低下し、表示画像が白っぽく見えるようになって、映像を始めとする表示画像の品位を著しく劣化させるので、外光の反射輝度を抑えるために表示パネル２０の前面板８に帯状の遮光膜であるブラックストライプ部（以下略してＢＳ部とも言う）７を設けるのが一般的である。そして、図１、図２および図３に示すような面放電タイプのＡＣ−ＰＤＰにおいては、通常、放電は走査電極２と維持電極３の間の面放電ギャップＭＧで発生し、表示電極４を構成する走査電極２のバス電極２ｂと隣り合う表示電極４を構成する維持電極３のバス電極３ｂの間に位置する画素間ギャップＩＰＧ（Ｉｎｔｅｒ−Ｐｉｘｅｌ  Ｇａｐ）では放電が発生していない（維持電極３のバス電極３ｂと隣り合う走査電極２のバス電極２ｂの間に位置するＩＰＧも同じ）。ＩＰＧにブラックストライプ部７を設けることは、表示パネル２０からの発光を損なわず、ＰＤＰの発光輝度を低下させることはなく、蛍光体層１４Ｒ、１４Ｇ、１４Ｂ等による外光の反射を避けられるので、表示画像の画質の向上にも適している。
【００２９】
したがって、図３に示すＡＣ−ＰＤＰにおいては、表示電極４の対をなす走査電極２と維持電極３のそれぞれの透明電極２ａ、３ａにおける面放電ギャップＭＧで放電が生じ、表示電極４の下にある蛍光体層を励起発光させているので、輝度向上のために設ける白色反射層３１９は図中斜線でハッチングを施した部分に設ければよい。また、表示電極４の透明電極２ａ、３ａの面放電ギャップＭＧから離れた位置にあるバス電極２ｂ、３ｂは光を透過しないのでバス電極２ｂ、３ｂの下には白色反射層３１９はなくてもよい。そして、ＩＰＧ領域ではＢＳ部７の配設されている部分は発光がほとんどないので、ＢＳ部７の下には白色反射層３１９を設ける必要がない。ただＢＳ部７を除いたＩＰＧ領域の下は発光がほとんどないが、表示電極４の下の蛍光体層で発光した光の回り込みや、回り込み反射を期待できるので、白色反射層３１９を設けてもよい。白色反射層３１９を設ける領域は、図３中に示した表示電極４の各バス電極２ａ、２ｂ間の領域Ｌ１から、隣り合うＢＳ部７間の領域Ｌ２の範囲で設定する。白色反射層３１９を設ける領域の設定は、白色反射層３１９の面積が広いほど短期焼き付き現象の原因となるＨ２Ｏ（水分子）の放出が増大するので、表示電極４の各バス電極２ａ、２ｂ間の領域Ｌ１に設定するのが最も好ましい。しかし、白色反射層３１９を設ける領域は、プラズマディスプレイパネルの輝度および色再現性（ホワイトバランス）にも大きく影響するので、実際の設定に当っては、Ｈ２Ｏ（水分子）の放出量、パネルの輝度および色再現性（ホワイトバランス）を考慮して、好ましい領域面積にする必要がある。前述した隔壁間隔を設定する場合と同様にシミュレーション等を利用して設計、設定することが望ましい。
【００３０】
なお、図１、図２、図３に示した本発明の実施の形態１におけるプラズマディスプレイパネルの構成の例においては、３色の蛍光体のうちの緑色の蛍光体層１４Ｇが蛍光体を塗布される隔壁１３の側面とその隔壁１３間の誘電体層１２に選択的に白色反射層１９、３１９を形成する例を示しているが、本発明の実施の形態１におけるプラズマディスプレイの構成は、この例に限定されるものではない。３色の蛍光体のうちの２色までのいずれかの蛍光体が塗布される隔壁の側面とその隔壁間の誘電体層に選択的に白色反射層を形成する構成であれば、従来のＡＣ−ＰＤＰに比べ、白色反射層の面積を減少させることができ、Ｈ２Ｏ（水分子）の放電空間内への放出が減り、短期焼き付き現象の発生を抑制できる。また、２色までのいずれかの蛍光体が塗布される隔壁の側面とその隔壁間の誘電体層に選択的に白色反射層を形成する場合も、白色反射層を設ける領域の設定は、図３に示したように表示電極４の各バス電極２ａ、２ｂ間の領域Ｌ１から、隣り合うＢＳ部７間の領域Ｌ２の範囲に設定するのが望ましい。この場合も、白色反射層３１９を設ける領域の設定は、白色反射層３１９の面積が広いほど短期焼き付き現象の原因となるＨ２Ｏ（水分子）の放出が増大するので、表示電極４の各バス電極２ａ、２ｂ間の領域Ｌ１に設定するのが最も好ましい。この場合、当然、緑、赤、青の隔壁間隔ＷＧ、ＷＲ、ＷＢについては、再考する必要がある。さらに、白色反射層３１９を設ける領域は、プラズマディスプレイパネルの輝度および色再現性（ホワイトバランス）にも大きく影響するので、実際の設定に当っては、Ｈ２Ｏ（水分子）の放出量、パネルの輝度および色再現性（ホワイトバランス）を考慮して、白色反射層に形成する蛍光体層の種類の選択とともに、隔壁間隔ＷＲ、ＷＧ、ＷＢおよび領域面積を最適に設定する必要がある。この場合も、前述した隔壁間隔の設定の説明で述べたようにシミュレーション等を利用して最適に設計、設定することが望ましい。
【００３１】
一方、各構成部材の製造方法としては、電極形成およびブラックマトリクス形成については、感光性材料を用いたフォトリソ法や薄膜形成法等により形成され、蛍光体層、誘電体層については各種有機材料と混合されてペーストとしてスクリーン印刷や各種コーターを用いて塗布する方法等により形成される。電極や誘電体の形成については、使用材料を保護フィルム上に転写シートとしてシート状に加工して貼りつける工法等も利用される。また、白色反射層の形成は、本発明の実施の形態１におけるプラズマディスプレイパネルにおいては、白色反射層から放出されるＨ２Ｏ（水分子）の量を抑制する必要があり、蛍光体層を形成するために各色の蛍光体が塗布される隔壁の側面とその隔壁間の誘電体層の表面全領域に白色反射層を形成せず、表示電極の下部の中心領域（図３中Ｌ１〜Ｌ３の範囲）に白色反射層を選択的に形成するので、感光性材料を利用したフォトリソ法や印刷法により、必要な箇所のみ選択的にパターニングして形成する。このようにして、各構成要素を形成した後は所定の温度にて焼成を行い、各種構成部材を基板に固着させて完成する。
【００３２】
表示パネル２０から引き出された各電極端に駆動回路、すなわち走査電極２端子には走査電極駆動回路が、維持電極３端子には維持電極駆動回路が接続され、また、アドレス電極１１端子にはデータドライバが接続されて、ＡＣ−ＰＤＰ表示装置を完成させる。このＡＣ−ＰＤＰにおいては、電極間に数十ｋＨｚ〜数百ｋＨｚのＡＣ電圧を印加して放電空間中のＸｅガスを含む放電ガスに放電を発生させ、励起された放電ガス中のＸｅ原子からの紫外線によって蛍光体層を励起することにより可視光を発生させて表示動作を行うのであるが、表示データに応じて書き込みパルスをアドレス電極１１に印加し、表示電極（行電極）とデータ電極（列電極）が交差する部分に形成されるセルで放電発光を生じさせて所望の画像表示を行う。
【００３３】
以上説明したように、本発明の実施の形態１におけるプラズマディスプレイパネルの背面板のアドレス電極上の誘電体層の上およびアドレス電極に並行する隔壁側面に輝度向上させるための白色反射層を選択的に形成しているので、短期焼き付き現象の原因となる白色反射層を形成する酸化チタン（ＴｉＯ２）等の白色顔料を含有させた誘電体材料に存在するＨ２Ｏ（水分子）の放出を抑制できるので、表示品質に優れたプラズマディスプレイパネルを実現できる。また、白色反射層の形成に対応して、３色の蛍光体層が形成される緑、赤、青の各隔壁間隔ＷＲ、ＷＧ、ＷＢや、ホワイトバランスを最適に設定できるので、高輝度で明るく色再現性に優れた高品質のプラズマディスプレイパネルを実現できる。
【００３４】
（実施の形態２）
図４は、本発明の実施の形態２におけるプラズマディスプレイパネルの部分拡大断面図である。本発明の実施の形態２におけるプラズマディスプレイパネルは、実施の形態１において説明したパネル構成をほとんどそのまま踏襲するので、同じ構成要素には同じ符号を付し、プラズマディスプレイパネルの構成および各構成部材の形成方法等、重複する説明を省略する。
【００３５】
本発明の実施の形態２におけるプラズマディスプレイパネルが実施の形態１のプラズマディスプレイパネル異なるところは、隔壁間隔を緑、赤、青の蛍光体毎に変更せず等ピッチとした点にある。すなわち、本発明の実施の形態２におけるプラズマディスプレイパネルでは、図４に示すように、隔壁間隔ＷＲ、ＷＧ、ＷＢをＷＲ＝ＷＧ＝ＷＢのように緑、赤、青で全て等しく形成している。また、輝度向上のための白色反射層は、３色の蛍光体のうちの青色の蛍光体層１４Ｂが蛍光体を塗布される隔壁１３の側面とその隔壁１３間の誘電体層１２にのみ選択的に形成している点も実施の形態１と異なっている。
【００３６】
実施の形態１のプラズマディスプレイパネルでは、白色の色再現性（ホワイトバランス）を改善するために、ＰＤＰ用の蛍光体による発光輝度は青＜赤＜緑の順に大きくなるので、隔壁間隔ＷＲ、ＷＧ、ＷＢをＷＧ＜ＷＲ＜ＷＢのように、蛍光体の発光輝度に合わせて逆順に大きくした例を挙げて説明した。ＰＤＰ用の蛍光体による発光輝度は、青色が一番低いので、隔壁間隔ＷＲ、ＷＧ、ＷＢをＷＲ＝ＷＧ＝ＷＢのように緑、赤、青で等ピッチに形成し、青色の蛍光体が塗布される隔壁１３の側面とその隔壁１３間の誘電体層１２にのみ選択的に白色反射層を形成することで、相対的に青色輝度を上げ、併せて白色の色再現性の向上を図ることが可能になる。また、等ピッチとすることにより、放電開始電圧や放電維持電圧等の放電特性の変動をならして一様化することができ、放電特性が大きく影響する表示品質の安定化を図ることが可能になる。
【００３７】
また、短期焼き付き現象の原因となるＨ２Ｏ（水分子）の放電空間内への放出を抑えるために、白色反射層の面積を減少させるために実施の形態１のプラズマディスプレイパネルで実施した、図３に示した構成は本発明の実施の形態２におけるプラズマディスプレイパネルにも適用できる。ただし、本発明の実施の形態２のプラズマディスプレイパネルにおいては、図３中で蛍光体層に付すべき符号１４Ｇと１４Ｂを入れ換え、さらに、ＷＧをＷＢと置き換える必要がある。白色反射層を設ける領域の設定は、実施の形態１の説明で図３に示したように、表示電極４の各バス電極２ａ、２ｂ間の領域Ｌ１から、隣り合うＢＳ部７間の領域Ｌ２の範囲に設定する。この場合、白色反射層３１９を設ける領域の設定は、白色反射層３１９の面積が広いほど短期焼き付き現象の原因となるＨ２Ｏ（水分子）の放出が増大するので、表示電極４の各バス電極２ａ、２ｂ間の領域Ｌ１に設定するのが最も好ましい。
【００３８】
なお、上記本発明の実施の形態２におけるプラズマディスプレイパネルの構成の説明では、青色蛍光体が塗布された隔壁１３の側面とその隔壁１３間の誘電体層１２上に白色反射層を形成する例を挙げて説明したが、本発明はこの例に限定されるものではなく、蛍光体の輝度ではなく、パネルの表面板にフィルタを入れる場合には、フィルタの光透過特性を考慮する必要が有り、青色とは異なる蛍光体が塗布された隔壁の側面とその隔壁間の誘電体層上に白色反射層を設けることも可能である。
【００３９】
さらに、白色反射層を設ける領域は、プラズマディスプレイパネルの輝度および色再現性（ホワイトバランス）にも大きく影響するので、実際の設定に当っては、Ｈ２Ｏ（水分子）の放出量、パネルの輝度および色再現性（ホワイトバランス）を考慮して、領域面積を最適に設定する必要がある。この場合も、白色反射層の領域はシミュレーション等を利用して最適に設計、設定することが望ましい。
【００４０】
以上説明したように、本発明の実施の形態２におけるプラズマディスプレイパネルの背面板の青色の蛍光体層を形成するアドレス電極上の誘電体層の上およびアドレス電極に並行する隔壁側面に輝度向上させるための白色反射層が選択的に形成されているので、短期焼き付き現象の原因となる白色反射層を形成する酸化チタン（ＴｉＯ２）等の白色顔料を含有させた誘電体材料に存在するＨ２Ｏ（水分子）の放出を抑制できる、表示品質に優れたプラズマディスプレイパネルを実現できる。また、３色の蛍光体で構成される画素を等ピッチとすることにより、放電開始電圧や放電維持電圧等の放電特性の変動をならして一様化することができ、放電特性が大きく影響する表示品質の安定化を図ることが可能になり、白色反射層の形成に対応して、ホワイトバランスを最適に設定できるので、高輝度で明るく色再現性に優れた高品質のプラズマディスプレイパネルを実現できる。
【００４１】
なお、上述した本発明の実施の形態におけるプラズマディスプレイパネルの説明では、蛍光体層を赤色、緑色、青色の３色の蛍光体のみで形成する例で説明した。しかしながら、蛍光体の色を３色に限定する必要はない。なぜなら、蛍光体ではなくカラーインクを用いる最近の写真画質の印刷を目的とするカラープリンターでは３色以上の色数のインクを使用することも普通になってきている。プラズマディスプレイパネルで用いる蛍光体とカラーインクを用いるカラープリンターでは、基本的に色の種類は異なるが、発色（発光）に関し３種類の色が基本になっていることは同じであり、プラズマディスプレイパネルで用いる蛍光体の色の数も３色以上の多色（ｎ色）を用いることは当然可能になる。したがって、本発明の実施の形態１におけるプラズマディスプレイパネルの構成においては、背面板がｎ色（ｎは３以上の整数）の蛍光体層と、ｎ色の蛍光体層の中から選ばれる最大（ｎ−１）色の蛍光体層の背面板側に、蛍光体層からの発光を表示面側に反射する反射層とを備える構成とすることができる。また、本発明の実施の形態２におけるプラズマディスプレイパネルの構成においては、ｎ色の蛍光体層の幅が略等しく、かつ最大（ｎ−１）色の蛍光体層のうち少なくとも１色が青色蛍光体層であって、青色蛍光体層からの発光を表示面側に反射する反射層を備える構成とすることができる。
【産業上の利用可能性】
【００４２】
本発明のプラズマディスプレイパネルは、輝度向上を目的とする白色反射層を選択的に設けており、短期焼き付き現象の原因となるＨ２Ｏ（水分子）の放出を抑えることが、表示品質に優れたプラズマディスプレイパネルを実現でき、高品質で表示画質の優れた交流型ＰＤＰ表示装置への利用に有用である。
【図面の簡単な説明】
【００４３】
【図１】本発明の実施の形態１におけるＡＣ−ＰＤＰの一部を拡大して示す断面斜視図
【図２】本発明の実施の形態１におけるＡＣ−ＰＤＰの部分拡大断面図
【図３】本発明の実施の形態１における別の構成のプラズマディスプレイパネルの前面板の上側から見た放電セル部分の拡大平面図
【図４】本発明の実施の形態２におけるプラズマディスプレイパネルの部分拡大断面図
【図５】（ａ）は従来のＡＣ−ＰＤＰのパネルの一部を拡大して示す断面斜視図（ｂ）は従来のＡＣ−ＰＤＰ表示装置の構成図
【図６】従来のＡＣ−ＰＤＰのパネルの部分拡大断面図
【符号の説明】
【００４４】
１    前面ガラス基板
２    走査電極
２ａ，３ａ    透明電極
２ｂ，３ｂ    バス電極
３    維持電極
４    表示電極（行電極）
５，１２    誘電体層
６    保護膜
７    ブラックストライプ（ＢＳ）部（ブラックマトリクス）
８    前面板
９    放電空間
１０    背面ガラス基板
１１    アドレス電極（データ電極）
１３    隔壁
１４Ｒ，１４Ｇ，１４Ｂ    蛍光体層（Ｒ）（Ｇ）（Ｂ）
１５    背面板
１９，３１９    白色反射層
２０    表示パネル
【図１】
2006031949.tif 000003
【図２】
2006031949.tif 000004
【図３】
2006031949.tif 000005
【図４】
2006031949.tif 000006
【図５】
2006031949.tif 000007
【図６】
2006031949.tif 000008